(57)【要約】【課題】使い勝手のよい櫛付き容器を提供する。【解決手段】容器本体の口部に櫛付きキャップを取り付けた櫛付き容器において、櫛歯を備えた櫛歯体をキャップ体の中心からずらした位置に螺合結合させ、かつ櫛歯体を回動させると櫛歯体内部と容器本体との連通を開閉する開閉栓を設けた。これにより、櫛歯体をキャップ体に対して回転させることにより、櫛歯体の栓が開放され、しかも櫛歯が容器本体から側方に突出し、かつ上方に伸長させて固定することができるので、手間がかからず、使い勝手のよい櫛付き容器を提供できる。【選択図】  図１
2004344288.tif 000002
【特許請求の範囲】
【請求項１】
容器本体の口部に櫛歯を備えた櫛付きキャップを取り付け、前記櫛歯に設けた開口孔から前記容器本体内に収納されている内容液を注出させる櫛付き容器において、
前記櫛付きキャップの頂壁上に形成した支持筒体に、前記櫛歯を中心軸に対して横向きに植設した櫛歯体を螺合結合させ、かつ該櫛歯体の螺合動作により該櫛歯体内部と前記容器本体との連通を制御する開閉栓を設けたことを特徴とする櫛付き容器。
【請求項２】
前記櫛歯体を前記容器本体の中心から外して取り付け、前記櫛歯を前記容器本体内方に向けると前記開閉栓が閉鎖し、前記櫛歯を前記容器本体外方に向けると前記櫛歯体が前記頂壁から上方に螺進し、かつ前記開閉栓が開放されることを特徴とした請求項１に記載の櫛付き容器。
【請求項３】
前記櫛歯を前記容器本体内方に向けると下降した前記櫛歯体の下端に嵌着し、前記櫛歯を前記容器本体外方に向けると前記櫛歯体が上昇して嵌着から解除される、前記支持筒体下部に設けられた栓により前記開閉栓を形成したことを特徴とした請求項２に記載の櫛付き容器。
【発明の詳細な説明】
【０００１】
【発明の属する技術分野】
本発明は、容器本体上部に櫛歯を備え、白髪染め液、ヘアマニキュア、整髪料等など頭髪用内容液を櫛歯に注出させ、櫛歯で頭髪を梳かすことで内容液を直接頭髪に塗布できるようにした櫛付き容器に関する。
【０００２】
【従来の技術】
櫛付き容器としては、例えばスクイズ性を有する容器本体の上部口部に、櫛歯を複数備えた櫛付きキャップを備え、容器本体を押圧して容器本体内に収容されている白髪染め液、ヘアマニキュア、整髪料等の頭髪用内容液を櫛歯に設けられた注出孔から注出させ、内容液が付着された櫛歯で頭髪を梳いてこれら内容液を頭髪に直接塗布するようにしたものが知られている。（例えば、特許文献１参照。）。
【０００３】
また、櫛歯を備えた櫛体を容器である機体に回転自在に取り付け、塗布する箇所に応じて櫛体の向きを変更し、機体内に収容した頭髪料を注出して塗布するようにした考案がある。（例えば、特許文献２参照。）。
【０００４】
【特許文献１】
特開平９−１８７３１５号公報。
【０００５】
【特許文献２】
実公昭５２−２７０２８号公報。
【０００６】
【発明が解決しようとする課題】
しかしながら従来の櫛付き容器は、使用する前に容器本体から保管用の蓋を外す必要があり、手間がかかっていた。例えば、ヘアマニキュアや整髪料等の単一液料で使用する場合、容器本体に取り付けられた蓋を取り外し櫛付きキャップに付け替える必要があった。
【０００７】
また、ヘアカラーなど液料が二液式の場合には、使用前に二液を混合することが必要であるから、蓋の取り付け取り外し作業をより多く行う必要があった。
【０００８】
更に使用を開始した後は櫛歯に設けられた開口孔を介して開放された状態となり、容器本体内の内容液は常に外気と接触することとなっていた。そのため、塗布を中断する場合などでは櫛付きキャップを外し容器本体を蓋で密閉しなければならないが、手間がかかる上、櫛付きキャップの内部は内容液で濡れているため再度櫛付き容器を閉めることは困難であった。
【０００９】
また、横向きに櫛歯が設けられている場合には、櫛歯の先端が容器本体の側方に突出するため、保管するときや運搬時等において櫛歯が邪魔になることがあった。
【００１０】
本発明は、容器本体の開栓に手間がかからず、しかも使用開始後に櫛付きキャップを取り外すことなく容器本体を密閉して内容液を外気から容易に遮断でき、しかも櫛歯が容器本体から突出して塗布時の使い勝手がよくなる一方、保管、運搬のときなどには櫛歯を小さく収納できる櫛付き容器を提供することを目的とする。
【００１１】
【課題を解決するための手段】
本発明では、上記課題を解決するため次のように櫛付き容器を構成した。
【００１２】
請求項１に記載の発明は、容器本体の口部に櫛歯を備えた櫛付きキャップを取り付け、櫛歯に設けた開口孔から容器本体内に収納されている内容液を注出させる櫛付き容器において、櫛付きキャップの頂壁上に形成した支持筒体に、櫛歯を軸に対して横向きに植設した櫛歯体を螺合結合させ、かつ櫛歯体の螺合動作により櫛歯体内部と容器本体との連通を制御する開閉栓を設けて櫛付き容器を構成した。これにより、櫛歯体の回動によって開閉栓を制御でき、かつ収納時に櫛歯をコンパクトにし、使用時には櫛歯を外方に向けて突出させ使い勝手の良好な櫛付き容器を提供できる。
【００１３】
請求項２に記載の発明は、請求項１に記載の櫛付き容器において、櫛歯体を容器本体の中心から外して取り付け、櫛歯を容器本体内方に向けると開閉栓が閉鎖し、櫛歯を容器本体外方に向けると櫛歯体が頂壁から上方に螺進するとともに開閉栓が開放されることとした。
【００１４】
請求項３に記載の発明は、請求項２に記載の櫛付き容器において、櫛歯を容器本体内方に向けると下降した櫛歯体の下端に嵌着し、櫛歯を容器本体外方に向けると櫛歯体が上昇して嵌着から解除される、支持筒体下部に設けられた栓により開閉栓を形成した。これら請求項２または３に記載の発明によれば、櫛歯が外向きになるよう櫛付きキャップの櫛歯部を回転させて容器本体を密閉していた栓を開放させることができるので、使用時の手間を簡略化できる。また、使用中に櫛付きキャップを取り外すことなく容器本体を密閉し、また開放することができる。
【００１５】
【発明の実施の形態】
本発明にかかる櫛付き容器の一実施形態を、図面を参照して説明する。
【００１６】
図６に、容器本体４に櫛付きキャップ２を取り付けた櫛付き容器１の全体を示す。
【００１７】
容器本体４は、合成樹脂製の円筒状容器で、適度な押圧力で変形、復元するスクイズ性を有しており、上部には外周に螺旋状の突条２０が形成された口部１０（図１参照）が設けられている。
【００１８】
櫛付きキャップ２は、図１に示すように有蓋円筒状のキャップ体８と、キャップ体８に取り付けられた櫛歯体６とからなり、キャップ体８の外周壁内面に形成された螺旋状の突条２１により口部１０の突状２０に螺合している。
【００１９】
キャップ体８には、頂壁１２上に支持筒体１３が容器本体４の中心を外した位置に設けてある。支持筒体１３は、内周面に螺条５が２条形成してあり、下端には図４に示すように梁７で支持された栓９が設けられている。尚、螺条５、及び後述する螺条５に螺合する螺条１５の条数はこれに限るものではない。栓９は、櫛歯体６の下端部内径と同一の外径に形成された円筒体で、櫛歯体６の内周面に嵌合するとこれを密閉する。更に支持筒体１３の下方には、内周面に突出した段部３が形成されている。
【００２０】
櫛歯体６は、図１に示すように上下に枠櫛歯１８が一体に形成された円筒状の基台１６と、複数の櫛歯２５を一体に形成し、枠櫛歯１８の間に組み付けられた組付き櫛歯１４からなり、基台１６の外周面に形成された螺条１５が支持筒体１３に形成されている螺条５に螺合している。
【００２１】
螺条５と螺条１５との螺合は、櫛歯２５が図１に示すようにキャップ体８の中心を向いた状態にすると櫛歯体６が最下端に位置し、櫛歯体６の内部が栓９により密閉され、一方図２、図５に示すように櫛歯体６を１８０°回転させ櫛歯２５がキャップ体８の外方に向いた状態にすると、櫛歯体６が最上端に位置し、図４に示すように栓９による閉鎖が開放されるとともに基台１６の下端に形成された段部２３が支持筒体１３に形成された段部３に係止され、櫛歯体６の上昇（螺進）が停止し、更に基台１６の外周面に突出した突条１７が段部３の上側に係合し、櫛歯体６が回転しないよう保持される。
【００２２】
櫛歯２５は、図３及び図５に示すように平板な木の葉状で、一方の縁を凸状に切り欠く切欠き１９が左右交互に形成してある。また各櫛歯２５の内部には連通通路２４が形成され、一端が基台１６の内部に通じ、他端が櫛歯１８の先端付近に形成された開口孔２２に連通している。
【００２３】
次に、櫛付き容器１の作用について説明する。
【００２４】
櫛付き容器１は、図６に示すように櫛歯２５を容器本体４の中心に向けた状態で櫛付きキャップ２が、内容液を収納した容器本体４の口部１０に螺合されている。この状態は、櫛歯体６が最下端に位置しているので、図１に示すように基台１６の下端が栓９によって密封され、容器本体４を押圧しても内容液が吐出せず、また櫛歯２５等の先端が容器本体４の側方から大きくはみ出すことがなく、櫛付き容器１を小さく収納、保管できる。
【００２５】
内容液を頭髪に塗布するには、櫛歯体６を図２に示すように櫛歯２５が容器本体４の外側に向くように回転させる。すると櫛歯体６は、螺条５等により螺進して櫛歯体６が上方に移動し、それに伴い基台１６の下端が栓９の嵌合から外れ、櫛歯体６の内部が容器本体４に連通するとともに基台１６の下端の段部２３と突条１７が段部３に係合して螺進が係止される。
【００２６】
このように櫛歯２５を外方に向けると、栓９が開放されて櫛歯体６と容器本体４とが連通し、かつ櫛歯２５が側方に突出するとともに櫛歯体６が上方に伸長した状態で保持される。
【００２７】
そして、容器本体４を下に向けて押圧すると、連結通路２４を通って開口孔２２から内容液が注出されるので、櫛歯２５で頭髪を梳くことにより内容液が頭髪に塗布される。
【００２８】
更に櫛歯２５は、切欠き１９が形成されているため、櫛歯２５の通りを良好にでき、しかも頭髪の掴みと内容液の保持力が増し内容液を確実に頭髪に付着できる。そして、容器本体４を繰り返し押圧すれば、その都度内容液が注出され、使用が続けられる。
【００２９】
また、櫛歯体６を回転させ図１に示すように櫛歯２５を容器本体４の内側に向けると、栓９が櫛歯体６の下部を密閉し、容器本体４内が外気から遮断される。したがって、ヘアマニキュアや整髪料等単一液料が収納されている場合には、栓９を閉めて使用の中断ができる。そして再度櫛歯２５が容器本体４の外側に向くように櫛歯体６を回転させると栓９が開放され、内容液の吐出を再開できる。またヘアカラーのような二液式の液料の場合には、液料を混合した後所定時間内に作業を終わらせる必要があるが、栓９を閉じることにより液料の効力の低下時間を延ばすことができ、作業に不慣れで多少時間が多くかかる人でも所定通りに髪を染色できる。
【００３０】
【発明の効果】
本発明の櫛付き容器によれば、次のような効果を有している。
【００３１】
請求項１に記載の発明は、容器本体の口部に櫛歯を備えた櫛付きキャップを取り付け、櫛歯に設けた開口孔から容器本体内に収納されている内容液を注出させる櫛付き容器において、櫛付きキャップの頂壁上に形成した支持筒体に、櫛歯を軸に対して横向きに植設した櫛歯体を螺合結合させ、かつ櫛歯体の螺合動作により櫛歯体内部と容器本体との連通を制御する開閉栓を設けて櫛付き容器を構成したので、櫛歯体を回動させて開閉栓を開閉でき、蓋や櫛付きキャップの取り付け取り外しの回数を減少させて使用開始時の手間を省略でき、また櫛付きキャップを取り付けたまま密栓して使用を中断したり、内容液の効力低下を遅延でき、更に櫛歯をコンパクトに収納し、使用時には櫛歯を外方に向けて突出する使い勝手の良好な櫛付き容器を提供できる。
【００３２】
請求項２に記載の発明は、請求項１に記載の櫛付き容器において、櫛歯体を容器本体の中心から外して取り付け、櫛歯を容器本体内方に向けると開閉栓が閉じ、櫛歯を容器本体外方に向けると櫛歯体が頂壁から上方に螺進するととも開閉栓が開放されることとした。
【００３３】
また請求項３に記載の発明は、請求項２に記載の櫛付き容器において、櫛歯を容器本体内方に向けると櫛歯体の下端に嵌着し、櫛歯を容器本体外方に向けると櫛歯体との嵌着から解除されるように、支持筒体下部に梁を介して設けられた栓により構成した。これら請求項２または３に記載の発明により使用時に櫛歯を外向きに回動させると、かかる動作により容器本体内を閉鎖していた栓を開放させることができる。また、櫛歯体を内向きに回動させることにより、容器本体を繰り返し密閉させることができる。
【図面の簡単な説明】
【図１】本発明にかかる櫛付きキャップの一実施形態を示す部分断面図である。
【図２】本発明にかかる櫛付きキャップを示す部分断面図である。
【図３】本発明にかかる櫛付きキャップを示す平面図である。
【図４】支持筒体を示す断面図である。
【図５】本発明にかかる櫛付き容器を示す側面図である。
【図６】本発明にかかる櫛付きキャップを示す斜視図である。
【符号の説明】
１  ；  櫛付き容器
２  ；  櫛付きキャップ
３、２３  ；段部
４  ；  容器本体
５、１５  ；  螺条
６  ；  櫛歯体
７  ；  梁
８  ；  キャップ体
９  ；  栓
１０；  口部
１２；  頂壁
１３；  支持筒体
１４；  組付き櫛歯
１６；  基台
１７；  突条
１８：  枠櫛歯
１９；  切欠き
２０、２１；突条
２２；  開口孔
２４；  連通通路
２５；  櫛歯
【図１】
2004344288.tif 000003
【図２】
2004344288.tif 000004
【図３】
2004344288.tif 000005
【図４】
2004344288.tif 000006
【図５】
2004344288.tif 000007
【図６】
2004344288.tif 000008